(57)【特許請求の範囲】
【請求項１】
デフォルトの設定情報が記憶された記憶部と、
ユーザー毎にカスタマイズされたユーザー固有の設定情報を記憶可能な携帯型記憶媒体を接続するための接続部と、
ユーザー固有の設定情報が記憶された前記携帯型記憶媒体が前記接続部に接続された場合に、前記記憶部に記憶されたデフォルトの設定情報を変更することなく、前記携帯型記憶媒体に記憶されたユーザー固有の設定情報に基づいた処理を行う制御部と、
設定変更指示を受け付ける操作表示部と、を備え、
前記制御部は、ユーザー固有の設定情報が記憶された前記携帯型記憶媒体が前記接続部に接続された場合に、前記記憶部に記憶されたデフォルトの設定情報を変更することなく、前記携帯型記憶媒体に記憶されたユーザー固有の設定情報に基づいた設定画面を前記操作表示部に表示させ、
ユーザー固有の設定情報が記憶されていない前記携帯型記憶媒体が前記接続部に接続された場合、
前記操作表示部は、ユーザー固有の設定情報を作成するか否かの指示を受け付け、
前記制御部は、ユーザー固有の設定情報を作成する旨の指示を前記操作表示部が受け付けたときに、デフォルトの設定情報を前記携帯型記憶媒体に格納し、デフォルトの設定情報を前記携帯型記憶媒体に格納した後に前記操作表示部が設定変更指示を受け付けたとき、前記記憶部に記憶されたデフォルトの設定情報を変更することなく、前記操作表示部が受け付けた設定変更指示に基づき前記携帯型記憶媒体に格納したデフォルトの設定情報を変更することを特徴とする画像形成装置。
【請求項２】
前記制御部は、ユーザー固有の設定情報が記憶された前記携帯型記憶媒体が前記接続部に接続されている場合に、前記操作表示部が設定変更指示を受け付けたとき、前記記憶部に記憶されたデフォルトの設定情報を変更することなく、前記操作表示部が受け付けた設定変更指示に基づき前記携帯型記憶媒体に記憶されたユーザー固有の設定情報を変更することを特徴とする請求項１に記載の画像形成装置。
【請求項３】
前記操作表示部は、ユーザー固有の設定情報を作成するか否かの指示を受け付けるとき、ユーザー固有の設定情報を作成する旨を受け付けるための受付キーを表示し、
前記制御部は、前記受付キーが押されたとき、ユーザー固有の設定情報を作成するための処理を行うことを特徴とする請求項１または２に記載の画像形成装置。
【発明の詳細な説明】
【技術分野】
【０００１】
本発明は、画像形成装置に関する。
【背景技術】
【０００２】
従来、種々の情報を表示する操作パネルを備えた画像形成装置が知られている（たとえば、特許文献１参照）。特許文献１の画像形成装置は、複写機であって、その画像形成装置の操作パネルは、コピーの実行に際して設定可能な設定項目を表示し、設定指示をユーザーから受け付けるようになっている。
【０００３】
たとえば、コピーの実行に際して設定可能な設定項目としては、縮小／拡大、濃度、両面／分割およびページ集約など多数ある。このように、コピーの実行に際して設定可能な設定項目が多数あると、多種多様なコピーを行うことができる。その反面、多数の設定項目の設定内容を確認したり、必要であれば変更したりしなければならないという不便さもある。
【０００４】
この不都合を解消する方法としては、画像形成装置にユーザー認証機能を持たせ、その画像形成装置の内部記憶部にユーザー毎にカスタマイズしたユーザー固有の設定情報を格納しておくことが考えられる。この方法の場合、認証を受けたユーザーがログインしたときに、ログインユーザーの固有設定情報を内部記憶部から読み出し、そのログインユーザーの固有設定情報に基づき多数の設定項目の設定内容を変更すればよい。これにより、ユーザーからすると、ログインするだけで自身の所望する設定に自動的に切り替わるので、設定内容を確認したり変更したりする必要がなくなる。
【先行技術文献】
【特許文献】
【０００５】
【特許文献１】特開２００６−１１９１７６号公報
【発明の概要】
【発明が解決しようとする課題】
【０００６】
通常、ユーザーは、ログインするときに、ユーザー認証を受けるための操作を行う。たとえば、操作パネルには、システムメニューキーが設けられている。システムメニューキーをユーザーが押下すると、ユーザー認証を含む複数の項目が羅列表示され、続いて、複数の項目のうちからユーザー認証をユーザーが選択すると、ユーザー認証画面が表示される。この後、ユーザーは、ユーザー認証画面にユーザー名やパスワードなどを入力することによってログインする。
【０００７】
したがって、上記の方法では、ユーザーは、自身の所望する設定に自動的に切り替えるために、数多くの操作（ユーザー認証を受けてログインするための操作）を行わなければならい。このため、ユーザーにとっては利便性が悪い。
【０００８】
さらに、上記の方法では、複数のユーザーにそれぞれ対応する複数の固有設定情報を画像形成装置の内部記憶部に記憶させておかなければならない。したがって、保存情報量が膨大となり、内部記憶部の大容量化が必要となる（コストアップに繋がる）。
【０００９】
本発明は、上記課題を解決するためになされたものであり、保存情報量を増大させることなく、設定変更時におけるユーザーの利便性を向上させることが可能な画像形成装置を提供することを目的とする。
【課題を解決するための手段】
【００１０】
上記目的を達成するために、本発明の画像形成装置は、デフォルトの設定情報が記憶された記憶部と、ユーザー毎にカスタマイズされたユーザー固有の設定情報を記憶可能な携帯型記憶媒体を接続するための接続部と、ユーザー固有の設定情報が記憶された携帯型記憶媒体が接続部に接続された場合に、記憶部に記憶されたデフォルトの設定情報を変更することなく、携帯型記憶媒体に記憶されたユーザー固有の設定情報に基づいた処理を行う制御部と、を備えている。
【００１１】
本発明の画像形成装置では、上記のように、制御部は、ユーザー固有の設定情報が記憶された携帯型記憶媒体が接続部に接続された場合に、記憶部に記憶されたデフォルトの設定情報を変更することなく、携帯型記憶媒体に記憶されたユーザー固有の設定情報に基づいた処理を行う。これにより、デフォルトの設定情報に基づく処理を画像形成装置に行わせたいユーザーからすると、従前に別のユーザーがユーザー固有の設定情報に基づく処理を画像形成装置に行わせていたとしても、記憶部に記憶された設定情報はデフォルトのまま保持されているので、デフォルトの設定情報に戻すための操作を行う必要がなく、利便性が良い。また、ユーザー固有の設定情報に基づく処理を画像形成装置に行わせたいユーザーからすると、ユーザー固有の設定情報を前以て携帯型記録媒体に格納し、その携帯型記憶媒体を接続部に接続するだけで自身の所望する設定に切り替わるので、設定変更のための操作を行う必要がなくなり、利便性が良い。
【００１２】
また、本実施形態の画像形成装置では、画像形成装置を複数のユーザーが共用し、複数のユーザーが個々にユーザー固有の設定情報に基づく処理を画像形成装置に行わせるような環境下であったとしても、複数のユーザーにそれぞれ対応する複数のユーザー固有の設定情報を記憶部に記憶させておく必要がない。したがって、保存情報量が膨大になるのを抑制することができるので、記憶部を大容量化する必要がなくなる（コストアップを抑制することができる）。
【００１３】
上記の構成において、好ましくは、設定変更指示を受け付ける操作表示部をさらに備え、制御部は、ユーザー固有の設定情報が記憶された携帯型記憶媒体が接続部に接続された場合に、記憶部に記憶されたデフォルトの設定情報を変更することなく、携帯型記憶媒体に記憶されたユーザー固有の設定情報に基づいた設定画面を操作表示部に表示させる。このように構成すれば、ユーザーからすると、操作表示部に表示される設定画面（設定値）が自身の所望する設定画面（設定値）になっているので、設定画面（設定値）を変更するための操作を行う必要がなる。
【００１４】
上記の構成において、好ましくは、制御部は、ユーザー固有の設定情報が記憶された携帯型記憶媒体が接続部に接続されている場合に、操作表示部が設定変更指示を受け付けたとき、記憶部に記憶されたデフォルトの設定情報を変更することなく、操作表示部が受け付けた設定変更指示に基づき携帯型記憶媒体に記憶されたユーザー固有の設定情報を変更する。このように構成すれば、操表示作部が設定変更指示を受け付ける度に、携帯型記憶媒体に記憶されたユーザー固有の設定情報が更新されていく。このため、ユーザーにとっては、次回の画像形成装置の使用時に携帯型記憶媒体を接続部に接続すると、自身が直近に行った設定変更を反映した設定に切り替わるので、利便性が良い。
【００１５】
上記の構成において、好ましくは、操作表示部は、ユーザー固有の設定情報が記憶されていない携帯型記憶媒体が接続部に接続された場合に、ユーザー固有の設定情報を作成するか否かの指示を受け付け、制御部は、ユーザー固有の設定情報を作成する旨の指示を操作表示部が受け付けたときに、デフォルトの設定情報を携帯型記憶媒体に格納し、デフォルトの設定情報を携帯型記憶媒体に格納した後に操作表示部が設定変更指示を受け付けたとき、記憶部に記憶されたデフォルトの設定情報を変更することなく、操作表示部が受け付けた設定変更指示に基づき携帯型記憶媒体に格納したデフォルトの設定情報を変更する。このように構成すれば、容易に、ユーザー固有の設定情報が記憶された携帯型記憶媒体を得ることができる。
【００１６】
ここで、画像形成装置を使用するユーザーは、画像データを画像形成装置から携帯型記憶媒体に転送して蓄積する場合もあるし、携帯型記憶媒体に格納した画像データを画像形成装置に転送して印刷する場合もある。したがって、ユーザーからすると、携帯型記憶媒体を接続部に接続しただけでユーザー固有の設定情報の作成が開始されてしまうことは好ましくない。しかし、この構成では、携帯型記憶媒体が接続部に接続されると、ユーザー固有の設定情報の作成を自動的に開始せず、ユーザー固有の設定情報を作成するか否かの指示を受け付ける。このため、ユーザー固有の設定情報の作成を所望しないユーザーの利便性を向上させることができる。
【００１７】
この場合、より好ましくは、操作表示部は、ユーザー固有の設定情報を作成するか否かの指示を受け付けるとき、ユーザー固有の設定情報を作成する旨を受け付けるための受付キーを表示し、制御部は、受付キーが押されたとき、ユーザー固有の設定情報を作成するための処理を行う。
【発明の効果】
【００１８】
以上のように、本発明によれば、保存情報量を増大させることなく、設定変更時におけるユーザーの利便性を向上させることが可能な画像形成装置を容易に得ることができる。
【図面の簡単な説明】
【００１９】
【図１】本発明の一実施形態による画像形成装置の全体構成図
【図２】図１に示した画像形成装置の操作パネル（操作部、操作表示部）の詳細図
【図３】図１に示した画像形成装置のハードウェア構成を示したブロック図
【図４】図２に示した操作パネルに表示される画面の一例を示した図（機能画面の図）
【図５】図２に示した操作パネルに表示される画面の一例を示した図（設定値入力画面の図）
【図６】図２に示した操作パネルに表示される画面の一例を示した図（ユーザー固有の設定情報を作成するか否かを受け付けるときの図）
【図７】図２に示した操作パネルに表示される画面の一例を示した図（ＵＳＢ動作モードに移行するか否かを受け付けるときの図）
【図８】本発明の一実施形態による画像形成装置の動作を説明するためのフロー図
【発明を実施するための形態】
【００２０】
まず、図１を参照して、本発明の一実施形態による画像形成装置１００の全体構成について説明する。
【００２１】
本実施形態の画像形成装置１００は、複合機であり、コピー、プリンター、スキャナーおよびファックスなどの複数種のジョブを実行することができる。なお、この画像形成装置１００は、たとえば、ログインしたユーザーにのみ装置の使用（または、特定の機能の使用）を許可する。したがって、ユーザーは、画像形成装置１００の使用に際して、ログインのためのユーザー認証を受ける。そして、ログインユーザーは、与えられた権限の範囲内で画像形成装置１００の使用が許可される。
【００２２】
具体的な構成としては、画像形成装置１００は、操作パネル１０１（操作部、操作表示部）、画像読取部１０２、給紙部１０３、搬送路１０４、画像形成部１０５および定着部１０６などを備える。
【００２３】
操作パネル１０１は、図２に示すように、各種設定指示を受け付けるための設定キー（ソフトキー）などを表示する液晶表示部１１を有する。この液晶表示部１１は、表示面がタッチパネルで覆われた形態をとる。これにより、液晶表示部１１に表示された設定キーがユーザーによって押下されると、タッチパネルの出力に基づいて押下位置の座標を検出することができる。
【００２４】
また、操作パネル１０１には、テンキー１２やスタートキー１３などのハードキーが設けられている。テンキー１２は、数値入力が必要な設定指示をユーザーから受け付けるためのハードキーである。スタートキー１３は、各種ジョブの実行指示をユーザーから受け付けるためのハードキーである。
【００２５】
さらに、操作パネル１０１には、ハードキーとして、コピーキー１４、送信キー１５およびボックスキー１６などのジョブ選択キーも設けられている。そして、コピーキー１４がユーザーによって押下されると、コピーの機能を設定する上で必要な設定キーなどを含む機能画面が液晶表示部１１に表示される。送信キー１５がユーザーによって押下されると、スキャナーの機能やファックスの機能を設定する上で必要な設定キーなどを含む機能画面が液晶表示部１１に表示される。ボックスキー１６がユーザーによって押下されると、ボックス（たとえば、後述する記憶部１１３に設けられた保存領域）の機能を設定する上で必要な設定キーなどを含む機能画面が液晶表示部１１に表示される。
【００２６】
図１に戻って、画像読取部１０２は、原稿を読み取って画像データを生成する。この画像読取部１０２には、図示しないが、露光ランプ、ミラー、レンズおよびイメージセンサーなどの光学系部材が設けられている。そして、画像読取部１０２は、載置読取用コンタクトガラス２１に載置される原稿を読み取る際、露光ランプの光を原稿に照射し、反射光を受けたイメージセンサーの出力値をＡ／Ｄ変換した後、Ａ／Ｄ変換後のデータに対して各種補正（シェーディング補正など）を施すことによって、画像データを生成する。これにより、画像読取部１０２による原稿の読み取り動作によって得られた画像データに基づき印刷を行うことができる。また、画像読取部１０２による原稿の読み取り動作によって得られた画像データを蓄積することもできる。
【００２７】
また、画像読取部１０２には、原稿カバー２２が設けられている。そして、載置読取用コンタクトガラス２１による原稿の読み取り時には、載置読取用コンタクトガラス２１に載置された原稿を原稿カバー２２で押えることができるようになっている。なお、この原稿カバー２２に原稿搬送装置としての機能を持たせてもよい。この場合には、原稿カバー２２によって、送り読取用コンタクトガラス２３に原稿を１枚ずつ送ることができるようになる。
【００２８】
給紙部１０３は、用紙を収容するカセット３１を複数有し、それら複数のカセット３１に収容された用紙を搬送路１０４に供給する。この給紙部１０３には、収容された用紙を引き出すピックアップローラー３２や、用紙の重送を抑制するための分離ローラー対３３などが設けられている。
【００２９】
搬送路１０４は、装置内部において用紙を搬送する。具体的に言うと、給紙部１０３から供給された用紙は、搬送路１０４によって、画像形成部１０５および定着部１０６をこの順番で通過し、排出トレイ４１にまで導かれる。この搬送路１０４には、用紙を搬送する複数の搬送ローラー対４２が設けられている。さらに、用紙を画像形成部１０５の手前で待機させ、タイミングを合わせて画像形成部１０５に送り出すレジストローラー対４３も設けられている。
【００３０】
画像形成部１０５は、画像データに基づきトナー像を形成し、そのトナー像を用紙に転写する。画像形成部１０５は、感光体ドラム５１、帯電装置５２、露光装置５３、現像装置５４、転写ローラー５５およびクリーニング装置５６などを含んでいる。
【００３１】
トナー像の形成プロセスおよびトナー像の用紙への転写プロセスとしては、まず、感光体ドラム５１を回転駆動させ、その感光体ドラム５１の表面を帯電装置５２で所定電位に帯電させる。また、露光装置５３は、画像データに基づき光ビームＬを出力し、感光体ドラム５１の表面を走査露光する。これにより、感光体ドラム５１の表面に静電潜像を形成する。続いて、現像装置５４は、感光体ドラム５１の表面に形成された静電潜像にトナーを供給して現像する。
【００３２】
そして、転写ローラー５５は、感光体ドラム５１の表面に圧接する。この後、レジストローラー対４３がタイミングを計り、転写ローラー５５と感光体ドラム５１との間に用紙を進入させる。このとき、転写ローラー５５には所定の電圧が印加される。これにより、感光体ドラム５１の表面のトナー像が用紙に転写される。なお、転写プロセスが終わると、クリーニング装置５６は、感光体ドラム５１の表面に残留するトナーなどを除去する。
【００３３】
定着部１０６は、用紙に転写されたトナー像を加熱・加圧して定着させる。この定着部１０６は、発熱源を内蔵する定着ローラー６１と、定着ローラー６１に圧接される加圧ローラー６２とを含んでいる。そして、トナー像が転写された用紙は、定着ローラー６１と加圧ローラー６２との間を通過することで、加熱・加圧される。これにより、用紙にトナー像が定着され、印刷が完了する。そして、印刷済みの用紙は、搬送路１０４に導かれ、搬送ローラー対４２によって排出トレイ４１に送られる。
【００３４】
次に、図３を参照して、画像形成装置１００のハードウェア構成について説明する。
【００３５】
画像形成装置１００は、主制御部１１０（制御部）を含んでいる。そして、主制御部１１０は、中央演算処理装置であるＣＰＵ１１１や画像処理部１１２などを有する。画像処理部１１２は、画像処理専用のＡＳＩＣやメモリーなどからなっており、画像データに対して、拡大／縮小、濃度変換およびデータ形式変換などの各種の画像処理を施す。
【００３６】
また、主制御部１１０は、画像読取部１０２、給紙部１０３、搬送路１０４、画像形成部１０５および定着部１０６などと接続される。そして、主制御部１１０は、記憶部１１３に記憶されたソフトウェアに基づいて、各部の制御や演算などを行う。なお、主制御部１１０は、全体制御や画像処理を行う部分と、各種回転体を回転させるモーターの制御を行う部分とに分割されていてもよい。
【００３７】
記憶部１１３は、ＲＯＭ１１３ａ、ＲＡＭ１１３ｂおよびＨＤＤ１１３ｃを含む。たとえば、ソフトウェアは、ＲＯＭ１１３ａに書き込まれる。そして、ＲＡＭ１１３ｂは、ＲＯＭ１１３ａに記憶されたソフトウェアを実行するための作業領域となる。
【００３８】
また、主制御部１１０は、通信部１１４と接続される。通信部１１４は、たとえば、外部のコンピューター２００とネットワーク（あるいは、ケーブル）を介して通信可能に接続される。これにより、コンピューター２００から送信された画像データに基づき印刷したり、画像読取部１０２による原稿の読み取り動作によって得られた画像データをコンピューター２００に送信したりすることができる。さらに、たとえば、通信部１１４にモデムなどを内蔵してもよく、この場合、電話回線などのネットワークを介して、外部のファックス装置３００とファックス通信を行うことができる。
【００３９】
また、主制御部１１０は、ＵＳＢＩ／Ｆ部１１５（接続部）と接続される。このＵＳＢＩ／Ｆ部１１５には、携帯型記憶媒体としてのＵＳＢメモリー４００を接続することができる。これにより、ＵＳＢメモリー４００に記憶された画像データに基づき印刷を行うことができる。あるいは、画像読取部１０２による原稿の読み取り動作によって得られた画像データをＵＳＢメモリー４００に蓄積することもできる。
【００４０】
また、主制御部１１０は、操作パネル１０１と接続され、液晶表示部１１の表示制御を行う。なお、主制御部１１０とは別に表示制御部１７を設け、主制御部１１０の指示に従って表示制御部１７が表示制御を行うようになっていてもよい。また、表示制御用のプログラムやデータを格納するための記憶部１８を別途設けてもよい。
【００４１】
たとえば、主制御部１１０は、液晶表示部１１に表示された設定キーがユーザーによって押下されると、タッチパネルの出力を受けて押下位置の座標を特定する。これにより、ユーザーが押下した設定キーが特定される。タッチパネルの出力と押下位置の座標との対応を示すテーブルなどのデータは、記憶部１１３（または、記憶部１８）に記憶される。
【００４２】
そして、主制御部１１０は、ユーザーが操作パネル１０１に対して行った操作に基づいて、記憶部１１３に格納された情報を読み出し、適切な画面を操作パネル１０１に表示させる。ユーザーがコピーキー１４を押下した場合を例にとると、主制御部１１０は、ユーザーによるコピーキー１４の押下操作を受けて、図４に示すように、コピーに関する機能の設定指示を受け付けるための機能画面ＦＳ（設定画面）を操作パネル１０１に表示させる。
【００４３】
機能画面ＦＳには、たとえば、用紙選択、縮小／拡大、濃度、両面／分割、ページ集約およびソート／仕分けなどの機能の名称がそれぞれ付された複数の機能設定キーＦＫが設けられている。これら複数の機能設定キーＦＫは、設定する機能をユーザーから受け付けるためのソフトキーである。すなわち、ユーザーは、機能の設定を行うとき、複数の機能設定キーＦＫのうちから、設定する機能の名称を表示名とする機能設定キーＦＫを押下する。
【００４４】
用紙選択の機能設定キーＦＫがユーザーによって押下されたとすると、主制御部１１０は、図５に示すような、複数の用紙設定キーＳＫを含む設定値入力画面ＩＳ（設定画面）を操作パネル１０１に表示させる。これにより、ユーザーは、設定値入力画面ＩＳに対して入力操作（複数の用紙設定キーＳＫのうちのいずれかを押下する操作）を行うことにより、用紙選択に関する機能の設定を行うことができる。たとえば、ユーザーは、Ａ４サイズの用紙での印刷を行おうとする場合、「カセット１」という表示名の用紙設定キーＳＫを押下する。
【００４５】
なお、コピーの実行に際して設定可能な設定項目としては、用紙選択、縮小／拡大、濃度、両面／分割、ページ集約およびソート／仕分けを挙げたが、他にも、原稿サイズ、原稿セット向き、原稿サイズ混載、排紙先、ステープル、カラー選択、原稿画質、エコプリント、色相調整、カラーバランス、シャープネス、地色調整、うら写り防止、彩度、とじしろ、連続読み込み、自動画像回転、ジョブ終了通知、文書名入力、優先印刷、および、割り込みコピーなど多数ある。また、コピー以外の他のジョブについても、実行に際して設定可能な設定項目は多数ある。
【００４６】
このため、複数の設定項目にそれぞれ対応する複数の機能設定キーＦＫの全てを機能画面ＦＳに配置することはできない。したがって、主制御部１１０は、予め定められた所定数の機能設定キーＦＫのみを機能画面ＦＳに配置する。たとえば、機能画面ＦＳに配置する機能設定キーＦＫを定めた機能画面情報（設定情報）は記憶部１１３に記憶されており、主制御部１１０は、機能画面情報に基づき、機能画面ＦＳに配置する所定数の機能設定キーＦＫを決定する。
【００４７】
ここで、画像形成装置１００を複数のユーザーが共用する場合、使い勝手の良い機能画面ＦＳはユーザーによって異なる。すなわち、コピーを例にとると、両面／分割に関して頻繁に設定変更するユーザーにとっては、両面／分割を設定するための機能設定キーＦＫが機能画面ＦＳに常に配置されている方が使い勝手が良く、ページ集約に関して頻繁に設定変更するユーザーにとっては、ページ集約を設定するための機能設定キーＦＫが機能画面ＦＳに常に配置されている方が使い勝手が良い。
【００４８】
したがって、この画像形成装置１００は、ユーザーの使い勝手を良くするため、ユーザー毎にカスタマイズされたユーザー固有の機能画面情報（たとえば、マイパネル情報と称されることがある）を記憶部１１３に格納し、ログインユーザーが変わる度に、ログインユーザーに対応する機能画面情報を読み出して機能画面ＦＳに配置する機能設定キーＦＫを切り替えることができる。たとえば、主制御部１１０は、ログインを所望するユーザーが入力したユーザー情報（ユーザー名およびパスワードなど）が認証可能なユーザー情報か否かを判断する。そして、判断の結果、認証可能なユーザー情報であればログインを許可し、ログインユーザーに対応する機能画面情報を読み出して機能画面ＦＳに配置する機能設定キーＦＫを切り替える。
【００４９】
また、ログインユーザーは、頻繁に使用する複数の機能を選択して組み合わせ、それら複数の機能の各設定値をプログラムとして登録することもできる。なお、ログインユーザーが登録したプログラムに対応するプログラム情報（設定情報）は、たとえば、記憶部１１３に格納される。これによって、ログインユーザーは、コピーなどのジョブの実行に際して、自身が登録したプログラムを選択するだけで、複数の機能の各設定値を所望値に設定することができる。
【００５０】
あるいは、別の例として、ログインユーザーは、アドレスと通信モード（たとえば、同報通信、親展通信およびタイマー予約通信など）とを対応付けたアドレス帳を登録することもできる。なお、ログインユーザーが登録したアドレス帳に対応するアドレス帳情報（設定情報）は、たとえば、記憶部１１３に格納される。これにより、ログインユーザーはファックス通信を行うとき、アドレス帳から送信先のアドレスを選択するだけで、通信モードを設定することができる。
【００５１】
しかし、同一の画像形成装置１００を複数のユーザーで共用する場合において、複数のユーザーにそれぞれ対応する複数のユーザー固有の設定情報を記憶部１１３に記憶させると、保存情報量が膨大になってしまう（記憶部１１３の記憶容量が大きくなければならない）。また、ユーザーからすると、自身にとって使い勝手が良い設定にするためには、ログインしなければならない（ユーザー名やパスワードを入力しなければならない）ので、利便性が悪い。
【００５２】
そこで、本実施形態では、ユーザー固有の設定情報が記憶されたＵＳＢメモリー４００がＵＳＢＩ／Ｆ部１１５に接続された場合に、記憶部１１３に記憶されたデフォルトの設定情報を変更することなく、ＵＳＢメモリー４００に記憶されたユーザー固有の設定情報に基づいた処理を行うようになっている。なお、ユーザー固有の設定情報というのは、ユーザーによってカスタマイズされた設定情報であり、機能画面情報、プログラム情報およびアドレス帳情報などである。
【００５３】
具体的に説明すると、ユーザーは、まず、ユーザー固有の設定情報が記憶されていないＵＳＢメモリー４００をＵＳＢＩ／Ｆ部１１５に接続する。ＵＳＢメモリー４００がユーザーによってＵＳＢＩ／Ｆ部１１５に接続されると、主制御部１１０は、ユーザー固有の設定情報を作成するか否かの指示を受け付けるための受付画面を操作パネル１０１に表示させる。たとえば、操作パネル１０１は、図６に示すようなダイアログボックスＤＢ１を表示し、そのダイアログボックスＤＢ１に、ユーザー固有の設定情報を作成する旨を受け付けるためメッセージ（たとえば、「ユーザー固有の設定情報を作成しますか？」というメッセージ）および受付キーＫ１１を配置する。
【００５４】
受付キーＫ１１がユーザーによって押下されると、主制御部１１０は、デフォルトの設定情報をＵＳＢメモリー４００に格納する。この後、ユーザーは、操作パネル１０１に対して入力操作を行うことによって、機能画面ＦＳに配置する機能設定キーＦＫを変更したり、プログラムやアドレス帳を新規に追加・変更したりする。このとき、主制御部１１０は、記憶部１１３に記憶されたデフォルトの設定情報を変更することなく、操作パネル１０１が受け付けた設定変更指示に基づきＵＳＢメモリー４００に格納した設定情報を変更する。これにより、ユーザー毎にカスタマイズされたユーザー固有の設定情報を格納するＵＳＢメモリー４００が得られる。そして、ユーザーは、次回からは、ここで得られたＵＳＢメモリー４００をＵＳＢＩ／Ｆ部１１５に接続するだけで、ユーザー固有の設定情報に基づいた処理を画像形成装置１００に行わせることができる。
【００５５】
なお、図６に示したダイアログボックスＤＢ１において、ユーザーがソフトキーＫ１２を押下すると、ユーザー固有の設定情報の作成は行わない。
【００５６】
たとえば、ユーザーがユーザー固有の設定情報を格納するＵＳＢメモリー４００をＵＳＢＩ／Ｆ部１１５に接続すると、主制御部１１０は、図７に示すようなダイアログボックスＤＢ２を操作パネル１０１に表示させ、ＵＳＢ動作モードに移行するか否かをユーザーから受け付ける。ダイアログボックスＤＢ２には、たとえば、ＵＳＢ動作モードに移行する旨を受け付けるためのメッセージ（たとえば、「ＵＳＢ動作モードに移行しますか？」というメッセージ）および受付キーＫ２１を配置する。そして、受付キーＫ２１がユーザーによって押下されると、主制御部１１０は、ＵＳＢ動作モードに移行する。すなわち、主制御部１１０は、ＵＳＢメモリー４００に記憶されたユーザー固有の設定情報に基づいた処理を行う。
【００５７】
なお、図７に示したダイアログボックスＤＢ２において、ユーザーがソフトキーＫ２２を押下すると、ＵＳＢ動作モードへの移行は行わない。
【００５８】
次に、図８を参照して、ＵＳＢメモリー４００がＵＳＢＩ／Ｆ部１１５に接続されている場合の動作について説明する。なお、図８のフローのスタートは、ユーザーがＵＳＢメモリー４００をＵＳＢＩ／Ｆ部１１５に接続したときである。
【００５９】
ステップＳ１において、主制御部１１０は、ＵＳＢメモリー４００にユーザー固有の設定情報が格納されているか否かを判断する。判断の結果、ＵＳＢメモリー４００にユーザー固有の設定情報が格納されていなければ、ステップＳ２に移行する。
【００６０】
ステップＳ２に移行すると、主制御部１１０は、ユーザー固有の設定情報を作成するか否かを受け付ける。このとき、主制御部１１０は、ダイアログボックスＤＢ１（図６参照）を操作パネル１０１に表示させる。そして、ステップＳ３において、主制御部１１０は、ユーザー固有の設定情報を作成する旨を受け付けたか否かを判断する。判断の結果、ユーザー固有の設定情報を作成する旨を受け付けていれば、ステップＳ４に移行する。
【００６１】
ステップＳ４に移行すると、主制御部１１０は、デフォルトの設定情報をＵＳＢメモリー４００に格納する。この後、ステップＳ７に移行する。
【００６２】
ここで、ステップＳ１に戻って、ＵＳＢメモリー４００にユーザー固有の設定情報が格納されていれば、ステップＳ５に移行する。
【００６３】
ステップＳ５に移行すると、主制御部１１０は、ＵＳＢ動作モードに移行するか否かを受け付ける。このとき、主制御部１１０は、ダイアログボックスＤＢ２（図７参照）を操作パネル１０１に表示させる。そして、ステップＳ６において、主制御部１１０は、ＵＳＢ動作モードに移行する旨を受け付けたか否かを判断する。判断の結果、ＵＳＢ動作モードに移行する旨を受け付けていれば、ステップＳ７に移行する。同時に、主制御部１１０は、ＵＳＢメモリー４００に記憶されたユーザー固有の設定情報（機能画面情報）に基づいた設定画面（機能画面ＦＳや設定値入力画面ＩＳ）を操作パネル１０１に表示させる。
【００６４】
ステップＳ７に移行すると、主制御部１１０は、操作パネル１０１が設定変更指示を受け付けたか否かを判断する。判断の結果、操作パネル１０１が設定変更指示を受け付けていれば、ステップＳ８に移行し、操作パネル１０１が設定変更指示を受け付けていなければ、ステップＳ８を省略してステップＳ９に移行する。
【００６５】
ステップＳ８に移行すると、主制御部１１０は、記憶部１１３に記憶されたデフォルトの設定情報を変更することなく、操作パネル１０１が受け付けた設定変更指示に基づきＵＳＢメモリー４００に記憶されたユーザー固有の設定情報（あるいは、ＵＳＢメモリー４００に記憶されたデフォルトの設定情報）を変更する。そして、主制御部１１０は、ＵＳＢメモリー４００に記憶されたユーザー固有の設定情報（機能画面情報）に基づいた設定画面（機能画面ＦＳや設定値入力画面ＩＳ）を操作パネル１０１に表示させる。
【００６６】
この後、ステップＳ９において、操作パネル１０１がジョブの実行指示を受け付けたか否かを判断する。判断の結果、操作パネル１０１がジョブの実行指示を受け付けていれば、ステップＳ１０に移行し、操作パネル１０１がジョブの実行指示を受け付けていなければ、終了する。
【００６７】
ステップＳ１０に移行すると、主制御部１１０は、記憶部１１３に記憶されたデフォルトの設定情報を変更することなく、ＵＳＢメモリー４００に記憶されたユーザー固有の設定情報に基づいた処理を行う。
【００６８】
なお、ステップＳ３において、ユーザー固有の設定情報を作成する旨を受け付けていない場合には、ステップＳ１１に移行する。また、ステップＳ６において、ＵＳＢ動作モードに移行する旨を受け付けていない場合にも、ステップＳ１１に移行する。ステップＳ１１に移行すると、主制御部１１０は、操作パネル１０１がジョブの実行指示を受け付けたか否かを判断する。判断の結果、操作パネル１０１がジョブの実行指示を受け付けていれば、ステップＳ１２に移行し、操作パネル１０１がジョブの実行指示を受け付けていなければ、終了する。
【００６９】
ステップＳ１２に移行すると、主制御部１１０は、通常動作モードにて処理を行う。すなわち、主制御部１１０は、記憶部１１３に記憶されたデフォルトの設定情報に基づいた処理を行う。
【００７０】
本実施形態では、上記のように、主制御部１１０（制御部）は、ユーザー固有の設定情報が記憶されたＵＳＢメモリー４００（携帯型記憶媒体）がＵＳＢＩ／Ｆ部１１５（接続部）に接続された場合に、記憶部１１３に記憶されたデフォルトの設定情報を変更することなく、ＵＳＢメモリー４００に記憶されたユーザー固有の設定情報に基づいた処理を行う。たとえば、主制御部１１０は、ＵＳＢメモリー４００に記憶された機能画面情報（ユーザー固有の設定情報）に基づいた機能画面ＦＳ（設定画面）や設定値入力画面ＩＳ（設定画面）を操作パネル１０１（操作表示部）に表示させる。これにより、デフォルトの設定情報に基づく処理を画像形成装置１００に行わせたいユーザーからすると、従前に別のユーザーがユーザー固有の設定情報に基づく処理を画像形成装置１００に行わせていたとしても、記憶部１１３に記憶された設定情報はデフォルトのまま保持されているので、デフォルトの設定情報に戻すための操作を行う必要がなく、利便性が良い。また、ユーザー固有の設定情報に基づく処理を画像形成装置１００に行わせたいユーザーからすると、ユーザー固有の設定情報を前以てＵＳＢメモリー４００に格納し、そのＵＳＢメモリー４００をＵＳＢＩ／Ｆ部１１５に接続するだけで自身の所望する設定に切り替わるので、設定変更のための操作を行う必要がなくなり、利便性が良い。
【００７１】
また、本実施形態では、画像形成装置１００を複数のユーザーが共用し、複数のユーザーが個々にユーザー固有の設定情報に基づく処理を画像形成装置１００に行わせるような環境下であったとしても、複数のユーザーにそれぞれ対応する複数のユーザー固有の設定情報を記憶部１１３に記憶させておく必要がない。したがって、保存情報量が膨大になるのを抑制することができるので、記憶部１１３を大容量化する必要がなくなる（コストアップを抑制することができる）。
【００７２】
また、本実施形態では、上記のように、主制御部１１０は、ユーザー固有の設定情報が記憶されたＵＳＢメモリー４００がＵＳＢＩ／Ｆ部１１５に接続されている場合に、操作パネル１０１が設定変更指示を受け付けたとき、記憶部１１３に記憶されたデフォルトの設定情報を変更することなく、操作パネル１０１が受け付けた設定変更指示に基づきＵＳＢメモリー４００に記憶されたユーザー固有の設定情報を変更する。このように構成すれば、操作パネル１０１が設定変更指示を受け付ける度に、ＵＳＢメモリー４００に記憶されたユーザー固有の設定情報が更新されていく。このため、ユーザーにとっては、次回の画像形成装置１００の使用時にＵＳＢメモリー４００をＵＳＢＩ／Ｆ部１１５に接続すると、自身が直近に行った設定変更を反映した設定に切り替わるので、利便性が良い。
【００７３】
また、本実施形態では、操作パネル１０１は、ユーザー固有の設定情報が記憶されていないＵＳＢメモリー４００がＵＳＢＩ／Ｆ部１１５に接続された場合に、ユーザー固有の設定情報を作成するか否かの指示を受け付け、主制御部１１０は、ユーザー固有の設定情報を作成する旨の指示を操作パネル１０１が受け付けたときに、デフォルトの設定情報をＵＳＢメモリー４００に格納し、デフォルトの設定情報をＵＳＢメモリー４００に格納した後に操作パネル１０１が設定変更指示を受け付けたとき、記憶部１１３に記憶されたデフォルトの設定情報を変更することなく、操作パネル１０１が受け付けた設定変更指示に基づきＵＳＢメモリー４００に格納したデフォルトの設定情報を変更する。このように構成すれば、容易に、ユーザー固有の設定情報が記憶されたＵＳＢメモリー４００を得ることができる。
【００７４】
ここで、画像形成装置１００を使用するユーザーは、画像データを画像形成装置１００からＵＳＢメモリー４００に転送して蓄積する場合もあるし、ＵＳＢメモリー４００に格納した画像データを画像形成装置１００に転送して印刷する場合もある。したがって、ユーザーからすると、ＵＳＢメモリー４００をＵＳＢＩ／Ｆ部１１５に接続しただけでユーザー固有の設定情報の作成が開始されてしまうことは好ましくない。しかし、本実施形態では、ＵＳＢメモリー４００がＵＳＢＩ／Ｆ部１１５に接続されると、ユーザー固有の設定情報の作成を自動的に開始せず、ユーザー固有の設定情報を作成するか否かの指示を受け付ける。このため、ユーザー固有の設定情報の作成を所望しないユーザーの利便性を向上させることができる。
【００７５】
なお、上記実施形態において、ＵＳＢメモリー４００にユーザー認証のための情報を記憶させ、そのＵＳＢメモリー４００がＵＳＢＩ／Ｆ部１１５に接続された場合に、ユーザー認証が自動的に行われるようになっていてもよい。
【００７６】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【００７７】
たとえば、上記実施形態では、ユーザー固有の設定情報をＵＳＢメモリーに格納する例について説明したが、本発明はこれに限らず、ＵＳＢメモリー以外の携帯型記憶媒体にユーザー固有の設定情報を格納してもよい。
【符号の説明】
【００７８】
１００  画像形成装置
１０１  操作パネル（操作表示部）
１１０  主制御部（制御部）
１１３  記憶部
１１５  ＵＳＢＩ／Ｆ部（接続部）
４００  ＵＳＢメモリー（携帯型記憶媒体）
【図１】
0005452572.tif 000002
【図２】
0005452572.tif 000003
【図３】
0005452572.tif 000004
【図４】
0005452572.tif 000005
【図５】
0005452572.tif 000006
【図６】
0005452572.tif 000007
【図７】
0005452572.tif 000008
【図８】
0005452572.tif 000009